(57)【特許請求の範囲】
【請求項１】
空洞部を所持し、該空洞部に開口の機能の内側に蓋を持ち、それらは他に繋がっており、前記蓋は、両方先端に羽を有するとともに柔軟性を有してＶ形状に変化し得り、前記Ｖ形状の尖っている先端から前記開口内に挿入し挿入後は、前記両方先端の羽が広がって前記開口を閉鎖する機能を備えたことを特徴とする装着品。
【請求項２】
請求項１に記載の装着品に於いて、前記空洞部が外側から見えることを特徴とする装着品。
【発明の詳細な説明】
【技術分野】
【０００１】
本発明は、道しるべ、案内、願い事、証明（氏名、住所）等種々の該認識に関与するものである。
【背景技術】
【０００２】
現在、本人自身が住所、名前が判らない状態にある人認知症の人の徘徊がある。
【０００３】
現在、上記の如く該老人の徘徊が多く発生し、該発見時にはその人達は住所、名前は不明のままの状態である。又該老人の徘徊等にて老人の行先が判らない人もある。
【発明の概要】
【発明が解決しようとする課題】
【０００４】
そこで、ネクレス、ビアス、プレスレット、リング、足環、ストラップ、数珠等のアクセサリー、装着品に於いて、住所、名前（センサ−、ベル、交信ベル、ジ−ピ−エス、ＩＣチップ等搭載にて居場所の確認、通報等、又本人住所、名前、血液型、連絡先、必要事項記載の搭載にて身元をあきらかにする等の種々の必要事項の搭載）等を外側からよく見える様、又該記入してある事が分かるように関与させてなす身元判明の目印となす品である。又開運の道しるべとなる商品となす。然るに、該機能に開運(福、健康、安全、幸、富等)の道しるべを関与させて普通時、通常の人にも幸運をもたらす様、元気を出すハ゜ア−が出る、明るく発揮出来得る事が促進、分かるようになる思いを持つ気持ちを関与させる該事が出来る商品である。該事の必要性にも迫られている。よって解決しようとする問題点は、現在、本人が住所、名前が判らない状態にある人の徘徊がある人の為、又は自分の思いを願う人の為に提供する商品、製品である。常時身から離さないもとして、又お洒落の一環として、又守りもの（御札）として、等種々に利用出来る装着品である。
【課題を解決するための手段】
【０００５】
上記目的を達成するために、本発明は、請求項１に記された発明では、
装着品に於いて、外観から見て中に挿入した品が分かる機能構造形態の部品を製作した、該部品の特徴を設けた装着品である。
装着品に設けた機能構造部品を製作するにおいて、外観から見て該部品の中に挿入した品が分かる部品を製作し、該部品は（該品の入れ、出し可能な）機能を備える特徴を設けた装着品である。つまり、身体に付ける装着品に於いて、挿入部又は空間所持部又は空洞部を持つ部品を製作して、該挿入部、空間所持、空洞部を持つ部品に必要事項の品を挿入、搭載して、外部から、外観から見てそれらの品が分かる様な構造、外観、形態、機能部品の該部品である。又は該部品は該品を自在に挿入、搭載可能な機能構造形態を備える特徴を持った該部品の特徴を設けた装着品である。従来、身体に付ける飾品、装着類等のペンダント、ネクレス、ビアス、プレスネット、足環、帯締め止め、指輪、耳輪、腕輪、ストラップ、数珠、等等の装着品、飾り品は綺麗、デザイン化等にて美しく見せるものの装飾品、装着品でしかなかった。
然るに、身体に付ける飾品装持類等のペンダント、ネクレス、ビアス、プレスレット、足環、帯締め止め、指輪、耳輪、腕輪、ストラップ、数珠（念珠）その他種々等の飾り品、装着品の部品、部分に
（１）加工（材料は鉄、グラスファイバー、貴金属、木、プラスチック、炭素繊維、種々何でも良い）を施して例えば該部品、部分に空洞を設ける加工製作をし、そこへ種々の、記載品、添付品、お守り、その他種々の、搭載品、必要事項の品を挿入する該部品、部分、挿入部に於いて、種々な不透明な材料使用にて該部品、部分を加工製作をしても、該外壁に（格子戸等）隙間がある種々の形状加工方法構造にて加工して、その中の事項の品の挿入、搭載が分かる（記載品、添付品、お守り、等）形状に加工機構して、挿入、搭載の品の中身が見える部品を作成する。故に不透明な材料使用にても該品挿入、搭載が外観から見える形状を持つ部品となる。
（２）又、透明性のある材料（プラスッチク、水晶、ガラス等その他種々あり）にて該部品、部分を機能製作し、（該該部品、部分に挿入部、空間部、空洞部、加工を持たせた形状製作する。）該機能装着品、部品は該空洞等の中に、品、物品、必要な事項等々の挿入、搭載するにあたり、外観（外側）から品の挿入、搭載が分かる材料、材質を持って加工する部品とする。
が出来得る機能を備える特徴を設けた装着品でもある。
該装着品は、外観から品の搭載が分かる機能、構造、形態の部品である。該機能等の部品に於いて、該部品に挿入、搭載する該品、物品、その他種々の必要事項の品等の例一つ、として、センサ−、ベル、交信ベル、ジ−ピ−エス、チップ、等種々の知らせる報知機能の品がある。又本人住所、名前、血液型、連絡先等種々の必要な事項を記すもの、大切な品種々なものがある。然るに外側からよく見える様にした該物品の挿入、搭載、又該報知機能の搭載等を外部へ、人に等知らせる、分かるような機能、構造、形態の部品にした。よって該機能部品は必要な事項を関与させて他に知らせるものである「身元確認」故に開運となすものである。又該機能に開運「福、健康、安全、幸、富、お守り等」の道しるべを関与させて、人に幸運をもたらす様元気を出すハ゜ア−が出る、前向きな、明るく、発揮出来得る事が促進、分かるようになる、思いの孟を持つ気持ち等を為す事が出来る部品機能の故に、開運を呼び込む該装着品である。（実施例１、２、３、４，５，６，７、図にて記す。）
【０００６】
上記目的を達成するために、本発明は、請求項２に記された発明では、
請求項１、又は請求項３の少なくても何れか１つに記載の装着品に於いて、該品を搭載出来る部品の部品、部分に開口、閉口の機能形態を持ち、該機能形態の口を閉鎖する又は該品を取り出す事が出来る機能構造形態を持つ装着品である。
該装着品は、外観から見て中に挿入した品が分かる部品を製作し、該部品は該品の入れ、出し可能な機能を備える、又該口を閉鎖する事が出来る、又該部品は種々装着品と一体化する特徴を設けた装着品である。空洞、空間所持する部品の部分に開口、閉口の機能を持ち、該部分から必要、事項の品を搭載した後該機能形態の口を閉鎖する部品である。すなわち、部品、部分の口から挿入、侵入出来得る形状の形態にて侵入させた後は該口を閉鎖機能とする。閉鎖機能は種々あるが其の例１つとして、開口口に蓋をする。栓で蓋をして塞ぐ、該栓は螺子付であれば取り外し自由である。（蓋は中窪み形状のもの、コルク栓のもの等種々有り）（５図参照）。其の２つとして、該開口口を塞ぐ機能に於いて、挿入形状は、柔軟性を持ち挿入後に於いて形状の一部が閉、開口に関与にて止まる形状形態に変化して該口を閉鎖する事が出来る該機能形状構造部品付帯、所持の装着品である。（実施例４図Ａ，Ｂ，Ｃ、５図、６図にて記す。）
【０００７】
上記目的を達成するために、本発明は、請求項３に記された発明では、
請求項１、又は請求項２の少なくても何れか１つに記載の装着品に於いて、該機能構造形態の部品、部分は装着品に結合する該機能を備えた特徴の装着品である。
例えば、装着品の機能部品は、該部分の口から必要な事項の品を挿入、搭載、納入出来得る空間所持形状形態を持ち、該機能部品に該品を挿入後、開口口を閉鎖する部品機能にて閉鎖する。該閉鎖機能所持部品は挿入機能形態形状の構造を持ち、更に該形態、形状、構造等は該柔軟性の形成と其の材料、質を持って、閉、開口に関与にて止める塞ぐ形状に変化して、該機能形状の口を閉鎖する事が出来る機能である。次に該装着品の該機能部品、部分は、装着品に一体化、付帯又は結合して該機能を備えた特徴の装着品となる（腕時計の帯に添付も可）。故に、該機能部品と装着品とをつなぐ又は付帯又は結ぶ又は一体化又は結合又は連絡する機能装着品を備えた特徴の装着品である。（実施例５，６、７図にて記す）
【発明の効果】
【０００８】
身体に付ける飾品装類等のペンダント、ネクレス、ビアス、プレスレット、足環、帯締め止め、指輪、耳輪、腕輪、ストラップ、等等の飾り品は綺麗、デザイン化にて美しく見せるものだけでなく、そこに機能を設けて機能装着品としてなす。該商品は現在、本人が住所、名前が判らない状態にある人（認知症）、徘徊がある人の為の、又は自分の思いを願う人の為に提供する商品、製品である。該商品は自然に仕様利用出来る、又苦にならず無意識に使用出来る、又常時身から離さないものとして利用出来る、又お洒落の一環として利用出来る、又お守りものとして、利用出来る機能、構造の装着品である。
【図面の簡単な説明】
【０００９】
【図１】機構を示す正面図（指輪）
【図２】機構を示す正面作用図（ネクレス）
【図３】機構を示す正面図（プレスレット）
【図４】機構を示す機能作用図、Ａ：機能完了した形状、Ｂ：機能挿入前の形状、Ｃ：機能挿入時（通過中）の形状
【図５】つなぐ機構を示す正面作用図
【図６】つなぐ機構を示す図
【図７】つなぐ機構を示す図（ストラップ）
【発明を実施するための形態】
【００１０】
以下、本発明の実施の形態を図に基づいて説明する。
なお、各実施の形態を通じ、同一の部材、要素または、部品、部分には同一の符号を付して、其の説明を省略する場合もある。
【実施例１】
【００１１】
指輪において、品、物品、必要な事項の記載を搭載出来得る部品、部分の形状構造に加工を施して（例えば該部品形態部に空洞部を持ちそこに必要な事項の品を搭載する。該部品、部分の該外壁側に格子戸等形状構造形態加工にて外観から該品見える部品の機能形状加工にて）搭載品が外観からその中の様子が見える、分かる、透ける形状構造を持ち、氏名、住所等の必要な事項の品の添付、搭載が分かる事が出来る指輪である。
【実施例２】
【００１２】
ネクレスに於いて、必要な事項の品を搭載出来得る部品、部分の形状を持つ該ネクレスの形態部品、部分を透明性のある材料、（プラスッチク、水晶等種々）にて空洞を持たせた構造形状加工製作にて該空洞中に必要な事項の品を搭載が出来得る機能を備える特徴を設けた該機能装着品。該機能形態部分に必要な事項の品のセンサ−、ベル、受信ベル、交信ベル、ジ−ピ−エス、チップ、種々等報知機能を搭載する。又該搭載物が外側からよく見える透明材料の使用、又記入してある事が分かるような機能部品にした。該機能部品は必要な事項の品を関与させて他に知らせるものである故に開運となし、しかも身体装着して何時もお供をするネクレスである故の該装着品である。（実施例２、３、４、５、６、７図も然りである。）
【実施例３】
【００１３】
プレスレットに於いて、必要な事項の品を搭載出来得る空洞部品、部分の形態形状を持つ該プレスレット。該形態部品、部分を透明性のある材料（プラスッチク、水晶等種々）にて空洞を持たせた構造形状を加工製作した、故に該空洞中に必要な事項の品を搭載が出来得る、又搭載の中身が見える機能を備えた特徴を設けた装着品である。該機能形態空洞部分に報知機能の品を搭載（センサ−、ベル、受信ベル、交信ベル、ジ−ピ−エス、チップも可）、又祈願のお守りの品、又必要事項の品、又は連絡先情報を搭載して、外側からよく見える様、又知らせる様、又分かるような機能部品を持ったプレスレットである。プレスレットの該機能部品は必要な事項の品を関与させてなるも、該部品はプレスレットの他の部品と全く遜色のない装飾部品であるから何ら違和感をかけない美しい綺麗な装飾装着品である。故に身に常に付帯し開運となすものである故の該機能装着品プレスレットである。
【実施例４】
【００１４】
必要な事項の品を搭載出来得る部品、部分の形状を持つ該形態部品、部分は、透明性のある材料（プラスッチク、水晶等種々）にて空洞を持たせた形状の構造に加工製造する。該空洞中に必要な事項の品を搭載が出来得る機能を備えた特徴を設けた装着品である。該部品、部分に於いて、該部品、部分は開口口、閉口口の機能を持ち、必要事項の品を該口から挿入後は該機能の口を閉鎖する事が出来る機能を持つ装着品である。空洞空間所持する部品の部分に開口口、閉口口の機能を持ち該部分から必要事項の品を搭載した後該機能の口を閉鎖する部品である。（図４、Ａ挿入後の完了閉鎖した図）すなわち、開口口より挿入する機能形状形態は（図４、Ｂ）図中心にＶ形状を持ち、該Ｖ形状の上部両方先端（２か所）に羽を持った形状で構成されており、該形状は柔軟性を持ち変化し得る機能を持ち変化構造に適応する。（例えば、撓り、しなやかのある金属、貴金属又は記憶合金、炭素繊維等を用いることも可）該Ｖの先が尖っている部分から開口口に挿入すれば簡単に挿入でき、Ｖ形状の、両方先端２か所から羽を広げて持つ形状に於いても該形状は、機能変化をして一筋、一本の形になって形状の端まで挿入できる。（図４、Ｃ）挿入後、両方先端２か所から羽の形状は開口口に沿って広がり開口口を閉鎖する所の機能、形態を示す。該形状は挿入後形状の一部が閉開口に関与にて止まる、塞ぐ、形状に変化する該機能形状にて口を閉鎖する事が出来る機能装着品である。（閉鎖する機能は、該取り出し、開口させ出来得る機能を装着して中身の該品を取り出せる機能を併設加工するも可）（請求項１、２）
【実施例５】
【００１５】
必要な事項を搭載出来得る部品、部分の形状を持つ該形態部品、部分を透明性のある材料（プラスッチク、水晶等種々）にて空洞化工を持たせた形状にて該空洞中に必要な事項の搭載が出来得る機能を備えた特徴を設けた装着品の該部品、部分に於いて、該部品、部分に開口口、閉口口の機能を持ち、必要事項の挿入後は該機能の口を閉鎖する事が出来る機能を持つ装着品である。開口口の閉鎖は螺子付蓋（螺子付は取り外し開閉自在である）にて封じた。空間所持する部品の部分に開口口、閉口口の機能を持ち該部分から必要事項の搭載した後該機能の口を閉鎖する部品である。装着品に上記記載の機能部品を添付した装着品である。例えば、装着品の機能部品に於いて、該部分の口から必要な事項のものの侵入納入出来得る空間所持形状を持ち、該形状は挿入後、形状の一部が閉開口に関与にて止まる、塞ぐ形状構造に変化して、該機能形状にて口を閉鎖する事が出来る機能である。該部品と更に、装着品としてなす他の各々装着品、又は装着部品とを接触、つなぐ、又は結ぶ事を設定してこれは接触、連絡、繋いで、一体化させた装着製品、商品の機能装着品として完成させた装着品である。（請求項３）。
【実施例６】
【００１６】
必要な事項を搭載出来得る部品、部分の形状を持つ該形態部品、部分を透明性のある材料（プラスッチク、水晶等種々）にて空洞化工を持たせた形状にて該空洞中に必要な事項の搭載が出来得る機能を備えた特徴を設けた装着品の該部品、部分に於いて、該部品、部分に開口口、閉口口の機能を持ち、必要な事項の挿入後は該機能の口を閉鎖する事が出来る機能を持つ装着品である。空間所持する部品の部分に開口口、閉口口の機能を持ち該部分から必要事項の搭載した後該機能の口を閉鎖する部品である。すなわち、Ｕ，Ｖ形状の両方先端２か所に羽を持つ形状で該形状は柔軟性を持ち変化し機能に適応する。（例えば、撓り、しなやかのある金属、貴金属又は記憶合金等を用いる）該Ｖの先が尖っている部分から開口口に挿入すればＶ形状の、両方先端２か所から羽を持つ形状に於いても該形状の端まで挿入できる。挿入後、両方先端２か所から羽の形状は開口口に沿って広がり開口口を閉鎖する所の機能、形態を示す該部品、部分の形状と該装着品の機能部品の機能部に関与して、その他にて為す装着部品とをつなぐ機能を備えて、それらを一体化する装着品である。
例えば、装着品の機能部品に於いて、該部分の口から必要な事項のものの侵入納入出来得る空間所持形状を持ち、該形状は挿入後、形状の一部が閉開口に関与にて止まる、塞ぐ形状に変化して、該機能形状にて口を閉鎖する事が出来る機能である。該部品と更に、装着品としてなす他の各々装着品、又は装着部品とを接触、つなぐ、又は結ぶ事を設定してこれは接触、連絡、繋いで、一体化させた装着製品、商品の機能装着品として完成させた（請求項３）。
【実施例７】
【００１７】
ストラップにおいて、必要な事項の品を搭載出来得る空洞所持する部品、部分の形状構造を持つ該形態部品、部分は透明性のある材料（プラスッチク、水晶等種々）にて加工製造する。
該機能形態空洞部分に報知機能の品を搭載（センサ−、ベル、受信ベル、交信ベル、ジ−ピ−エス、チップも可）、又祈願のお守りの品、又必要事項の品、又は連絡先情報を搭載して、外側からよく見える様、又知らせる様、又分かるような機能部品を持った特徴の装着品のストラップである。（請求項１、２、３）。
【符号の説明】
【００１８】
１    装着品
２    空間所持形状（空洞）
３    必要な事項の挿入物（品）（報知機能品）（お守り）等
４    形状形態の状況、状態
５    つなぐ形態の形状
６    つなぐ形態の形状は該機能体に関与して形成する
７    外観から見て中身が分かる製作加工による形状構造
８    透明性材料
９    螺子付栓（蓋）
【要約】
【課題】  開運等道しるべとなす、道しるべ、案内、願い事、証明（氏名、住所）等種々の認識に関与するものである。
【解決手段】  現在、本人が住所、名前が判らない状態にある人の徘徊がある。しかしながら、現在、該老人の徘徊が多く発生し、該発見時には住所、名前不明の状態である。又徘徊等にて老人の行先が判らない人もある。その状態を解決する１つの手段として常に身に着け外観から分かる機能装着品となり身元判明等又お洒落な装飾品可能な装着品である。
【選択図】  図１【図１】
0005845450.tif 000002
【図２】
0005845450.tif 000003
【図３】
0005845450.tif 000004
【図４】
0005845450.tif 000005
【図５】
0005845450.tif 000006
【図６】
0005845450.tif 000007
【図７】
0005845450.tif 000008